(57)【要約】【課題】剤の垂れ落ちなく、しかも巻き上げられた状態の毛髪束に対してパーマネントウェーブ用剤を行きわたらせることができるパーマネントウェーブキットの提供。【解決手段】  以下の（１）及び（２）を含むパーマネントウェーブキット。（１）目開きが１２０〜２６０μｍで、かつ線径が１０〜３５０μｍである流体通過性の織成地等で構成される筒状体を含む毛髪保持具であって、その内部に毛髪束が収納可能であり、収納された該毛髪束をウェーブ状に変形させることが可能であり、かつ該毛髪束を変形させた状態に保持することが可能である毛髪保持具。（２）単一円筒形回転粘度計で与えられる粘度が、測定条件が温度３０℃、回転速度１０ｒｐｍで２５，０００〜４５，０００ｍＰａ・ｓ、かつ測定条件が温度３０℃、回転速度５ｒｐｍで１５０，０００〜２５０，０００ｍＰａ・ｓである乳化状パーマネントウェーブ用剤。【選択図】図１
2011156285.tif 000002
【特許請求の範囲】
【請求項１】
以下の（１）及び（２）を含むパーマネントウェーブキット。
（１）目開きが１２０〜２６０μｍで、かつ線径が１０〜３５０μｍである流体通過性の織成地又は編成地で構成される筒状体を含む毛髪保持具であって、その内部に毛髪束が収納可能であり、収納された該毛髪束をウェーブ状に変形させることが可能であり、かつ該毛髪束を変形させた状態に保持することが可能である毛髪保持具。
（２）単一円筒形回転粘度計で与えられる粘度が、測定条件が温度３０℃、回転速度１０ｒｐｍで２５，０００〜４５，０００ｍＰａ・ｓ、かつ測定条件が温度３０℃、回転速度５ｒｐｍで１５０，０００〜２５０，０００ｍＰａ・ｓである乳化状パーマネントウェーブ用剤。
【請求項２】
パーマネントウェーブ用剤が、以下の（２−１）及び（２−２）を含む請求項１記載のパーマネントウェーブキット。
（２−１）炭素数１６〜２２の脂肪族アルコール。
（２−２）イオン性界面活性剤。
【請求項３】
パーマネントウェーブ用剤に含まれる（２−１）と（２−２）の質量比が、（２−１）／（２−２）＝２．５〜４．２である請求項２記載のパーマネントウェーブキット。
【請求項４】
パーマネントウェーブ用剤が、更にエステル油、炭化水素油、高級脂肪酸、シリコーン油から選ばれる少なくとも１種の（２−３）油剤を含む請求項２又は３記載のパーマネントウェーブキット。
【請求項５】
（２−２）のイオン性界面活性剤が下記一般式（１）で表されるカチオン性界面活性剤である請求項２ないし４のいずれかに記載のパーマネントウェーブキット。
【化１】
2011156285.tif 000010
【請求項６】
請求項１ないし５のいずれかに記載のパーマネントウェーブキットを用い、毛髪保持具内でウェーブ状に変形され保持された状態の毛髪束へ、パーマネントウェーブ用剤を馴染ませるパーマネントウェーブ処理方法であって、
該パーマネントウェーブ用剤にせん断力を加えつつ、該毛髪保持具を構成する筒状体の外部から内部へ該パーマネントウェーブ用剤を通過させる工程を含むパーマネントウェーブ処理方法。
【発明の詳細な説明】
【技術分野】
【０００１】
本発明は、頭髪を所定の形状に巻き上げ、パーマネントウェーブ用剤を用いて毛髪へ形状を付与するために用いられるパーマネントウェーブキットに関する。
【背景技術】
【０００２】
従来、毛髪にパーマネントウェーブを付与する技術としては、頭髪をブロッキングし小さな毛髪束に区分けして、次に、その毛髪束からスライスし取り分けた小毛髪束をロッドと呼ばれる毛髪保持具によって所望のウェーブ形状に巻き上げる方法が知られている。毛髪保持具によって巻き上げられた毛髪束を、パーマネントウェーブ用剤によって化学処理することで、半永久的に持続するパーマネントウェーブを毛髪に付与することができる。
【０００３】
これら一連の作業であるブロッキング、スライス及び巻き上げ作業は煩雑であるところ、これらの作業を一層簡単に行うことができ、しかも従来と同様の美しいウェーブ形状を付与できる技術として、本出願人は先に、筒状の毛髪保持具を用い毛髪束を巻き上げる技術を提案した（特許文献１参照）。この技術によれば、従来の巻き上げ作業に比べて一つの毛髪保持具で扱える毛髪量が大幅に増加するので、頭髪を巻き上げるための毛髪保持具の数が飛躍的に減少し、合わせて頭髪への毛髪保持具の装着しやすさも改善することから、巻き上げ作業の簡便性が著しく向上する。
【０００４】
前記の技術を更に改良した技術として、本出願人は、毛髪保持具内に巻き上げられた状態で保持された毛髪束を、袋状の毛髪処理器具内に包み、この毛髪処理器具中で、液状のパーマネントウェーブ用剤を馴染ませることで、液だれを防ぎつつ、毛髪保持具内の毛髪束の中心までパーマネントウェーブ用剤を馴染ませる技術を提案した（特許文献２参照）。
【先行技術文献】
【特許文献】
【０００５】
【特許文献１】特開２００３−１１１６１２号公報
【特許文献２】特開２００５−１５２３７０号公報
【発明の概要】
【発明が解決しようとする課題】
【０００６】
本発明の課題は、前記の従来技術よりも一層簡便に、かつ剤の垂れ落ちなく、しかも筒状の毛髪保持具内で巻き上げられた状態で保持された毛髪束に対してパーマネントウェーブ用剤を馴染ませることのできるパーマネントウェーブキットの提供にある。
【課題を解決するための手段】
【０００７】
本発明は、以下の（１）〜（２）を含むパーマネントウェーブキットを提供するものである。
（１）目開きが１２０〜２６０μｍで、かつ線径が１０〜３５０μｍである流体通過性の織成地又は編成地で構成される筒状体を含む毛髪保持具であって、その内部に毛髪束が収納可能であり、収納された該毛髪束をウェーブ状に変形させることが可能であり、かつ該毛髪束を変形させた状態に保持することが可能である毛髪保持具。
（２）単一円筒形回転粘度計で与えられる粘度が、測定条件が温度３０℃、回転速度１０ｒｐｍで２５，０００〜４５，０００ｍＰａ・ｓ、かつ測定条件が温度３０℃、回転速度５ｒｐｍで１５０，０００〜２５０，０００ｍＰａ・ｓである乳化状パーマネントウェーブ用剤。
【発明の効果】
【０００８】
本発明のパーマネントウェーブキットによれば、塗布補助のための毛髪処理器具を使うことなく、剤の垂れ落ちなく、しかも筒状の毛髪保持具により巻き上げられた状態の毛髪束に対してパーマネントウェーブ用剤を行きわたらせることができる。
【図面の簡単な説明】
【０００９】
【図１】図１は、本発明のパーマネントウェーブキットにおける毛髪保持具の一実施形態を示す正面図である。
【図２】図２（ａ）は毛髪保持具に毛髪束を挿入した状態を示す図であり、図２（ｂ）は巻き上げ用糸を引っ張り、毛髪束と共に筒状体を巻き上げる途中の状態を示す斜視図である。
【図３】図３（ａ）ないし（ｃ）は、図１に示す毛髪保持具に毛髪束を挿通する際に好ましく用いられる毛髪挿入具の例を示す図である。
【図４】図４は、実施例及び比較例で用いた毛髪保持具の形状及び寸法を示す図である。
【発明を実施するための形態】
【００１０】
以下、本発明のパーマネントウェーブキットをその好ましい実施形態に基づき説明する。本発明のパーマネントウェーブキットは、（１）毛髪保持具及び（２）パーマネントウェーブ用剤を含むものである。以下、それぞれについて説明する。
【００１１】
〔毛髪保持具〕
図１には、毛髪保持具の一実施形態が示されている。同図に示す毛髪保持具１は、一端の開口部２１から他端の開口部２２に向けて毛髪束を挿通可能な扁平な筒状体２と、該筒状体２に形成された複数の挿通孔部６Ａ，６Ｂに順次挿通された巻き上げ用糸７とを有している。毛髪保持具１は、その内部に毛髪束が収納可能であり、収納された該毛髪束をウェーブ状に変形させることが可能であり、かつ該毛髪束を変形させた状態に保持することが可能なものである。毛髪保持具１は、図２（ａ）に示すように、筒状体２に、毛髪束Ｈを、一端の開口部２１側から他端の開口部２２側に向かって挿入した状態で、巻き上げ用糸７を引っ張ることにより、図２（ｂ）に示すように、毛髪束Ｈを、毛の根元側から見て時計回りの螺旋状に変形させ得るものである。
【００１２】
毛髪保持具１について更に詳述すると、図１に示すように、毛髪保持具１は、縦長であり、筒状体２を主体として構成されている。筒状体２は、シート２３により形成されており、より具体的には、扁平な筒状体２の一方の面を形成するシート２３Ａ及び他方の面を形成するシート２３Ｂからなる。シート２３Ａ及びシート２３Ｂは、いずれも帯状をなしており、長手方向に沿う両側端部２４Ａ，２４Ｂにおいて、両シート２３Ａ，２３Ｂ間が接合されることにより、一端の開口部２１及び他端の開口部２２を有する筒状体２が形成されている。シート２３Ａ及び他方の面を形成するシート２３Ｂは、同一のものでもよく、あるいは異なるものでもよい。
【００１３】
シート２３Ａ及びシート２３Ｂには、図１に示すように、筒状体２の巻き上げ用の巻き上げ用糸７を挿通案内する複数個の挿通孔部６Ａ，６Ｂが設けられている。巻き上げ用糸７は、その一端７１が筒状体２の他端の開口部２２近傍に係止されており、巻き上げ用糸７は、その一端７１側から他端７２側に向かって、挿通孔部６Ａ，６Ｂに順次挿通案内されて筒状体２の外周面に螺旋状に巻き付けられている。巻き上げ用糸７は、これを引っ張って毛髪の巻き上げ操作を行うことができるものであれば良く、糸状のものの他、細長い帯状のもの等であっても良い。
【００１４】
巻き上げ用糸７は、図１に示すように、シート２３Ａ及びシート２３Ｂにおける両側部に互い違いに形成された挿通孔部６Ａ，６Ｂに、ジグザグの軌跡を描くように挿通されて、筒状体２に取り付けられている。詳細には、筒状体２は、その両側部に第１の挿通孔部６Ａからなる第１の挿通孔部列と、第２の挿通孔部６Ｂからなる第２の挿通孔部列とを有している。第１の挿通孔部列における隣接する挿通孔部の間隔は一定になっている。第２の挿通孔部列においても同様であり、その間隔は第１の挿通孔部列と同じになっている。そして、各挿通孔部列における挿通孔部６Ａ，６Ｂは、互いに半ピッチずれるように互い違いに配置されている。
【００１５】
毛髪保持具１においては、巻き上げ用糸７は、他端部の開口部２２に最も近接した第１の挿通孔部６Ａに、シート２３Ａからシート２３Ｂに向けて挿通され、その位置から斜め右上方に位置する第２の挿通孔部６Ｂに向けて、シート２３Ｂの外面に沿って配されている（図１参照）。そして、第２の挿通孔部６Ｂにおいて、シート２３Ｂからシート２３Ａに向けて挿通されている。第２の挿通孔部６Ｂに挿通された巻き上げ用糸７は、その位置から斜め左上方に位置する第１の挿通孔部６Ａに向けて、シート２３Ａの外面に沿って配されている。以後、この挿通が繰り返され、巻き上げ用糸７はシート２３Ａ又は２３Ｂ側から見てジグザグの軌跡を描いている。また、このように挿通された巻き上げ用糸７は、筒状体２の周囲に、一端の開口部２１側から他端の開口部２２方向に向かって反時計回りの螺旋状に巻き付いており、巻き上げ用糸７を引っ張って毛髪の巻き上げ操作を行うときには、筒状体２が、一端の開口部２１側から見て時計回りの螺旋状に変形し、それにより、筒状体２内の毛髪束Ｈも、毛の根元側から見て時計回りの螺旋状に変形する。
【００１６】
毛髪保持具１は、巻き上げ用糸７を引っ張り、毛髪を巻き上げた後に、その巻き上げ用糸７を引き出した状態に保持可能なストッパー部３、毛髪を一端開口部２１から筒状体２内に挿通させる際に、指を挿通して開口部２１の開口を容易とする一対の指掛け部４，４、巻き上げ用糸７の一端７１側を筒状体の端部２６又はその近傍に係止させる係止片７３、巻き上げ用糸７の他端７２側に設けられた係止片７４を有している。ストッパー部３は、弾性を有するシート片３１から形成されており、筒状体２の一端部２５に設けられている。シート片３１には、貫通孔部３２が形成されており、また該貫通孔部３２を中心として放射状に延びる一対の切れ目３３，３３が形成されている。巻き上げ用糸７は、貫通孔部３２に挿通されている。巻き上げ用糸７は、図２（ｂ）に示すように、巻き上げ用糸７を引っ張り、筒状体２の巻き上げている途中においては、貫通孔部３２内を切れ目３３に拘束されずに移動可能であるが、巻き上げ後には、切れ目３３に挟まれ拘束されて、巻き上げ用糸７が元の状態に戻ることが阻止される。これにより、筒状体２の巻き上げ状態及び毛髪束Ｈの巻き上げ状態が安定に維持される。係止片７４は、引き出した巻き上げ用糸７をループ状に折り曲げた状態で、筒状体２の指掛け部４等に脱着自在に止着可能になされている。
【００１７】
本実施形態のパーマネントウェーブキットにおいては、毛髪保持具１内に毛髪束を保持した状態、つまり図２（ｂ）に示す巻き上げ作業が完了した状態で、該毛髪保持具１の表面（筒状体２の側面）から、毛髪束に対して、パーマネントウェーブ用剤を施し、該剤を毛髪束に馴染ませる。したがって筒状体２は、流体であるパーマネントウェーブ用剤に対して高い透過性を示す必要がある。通常、このような高い透過性を確保するためには、粘度の低いパーマネントウェーブ用剤を用いて該剤を馴染ませる作業を行う。しかしその場合には、パーマネントウェーブ用剤の垂れ落ちの発生が問題となる。したがって、パーマネントウェーブ用剤の垂れ落ちを抑制しつつ、筒状体２に対するパーマネントウェーブ用剤の透過性を向上させるためには、例えば筒状体２を目の粗い織成地等から構成し、かつ高粘度のパーマネントウェーブ用剤の塗布を行えばよい。これによってパーマネントウェーブ用剤の垂れ落ちは抑制できるが、毛髪保持具１の内部に入ったパーマネントウェーブ用剤は、粘度が高い状態を維持していることに起因して、毛髪束の表面を濡らすにとどまり、毛髪束の中心まで行きわたらないという別の問題が発生する。このように、前述した一般的なアプローチによっては、筒状体２に対するパーマネントウェーブ用剤の高い透過性を確保しつつ、毛髪保持具内部の毛髪束の中心までパーマネントウェーブ用剤を行きわたらせるという２つの課題の両立は困難である。
【００１８】
これに対して本発明者らは、毛髪保持具１における筒状体２を、流体通過性の織成地又は編成地で構成するとともに、これら織成地又は編成地の目開き及び線径を特定の範囲に設定し、かつ該毛髪保持具１と組み合わせて用いられるパーマネントウェーブ用剤として特定の粘性を有するものを用いることで、筒状体２の表面（外部）からパーマネントウェーブ用剤を擦り込むと、該剤を毛髪束の中心まで行きわたらせることが可能になることを知見したものである。具体的には、指で撫でる・擦る等の外力によってパーマネントウェーブ用剤を、流体通過性の織成地又は編成地の外部から内部へ通過させたときに、該パーマネントウェーブ用剤の粘度を十分に低下させるためのせん断力を与え得る網目特性を有する織成地又は編成地を用い、かつせん断力を与えた状態では粘度が低くなって流動性に富むという粘度挙動を示すパーマネントウェーブ用剤とを組み合わせて用いることで、上述の相反する課題を両立できることが判明した。
【００１９】
上述の知見に基づき、本発明においては、筒状体２を構成する流体通過性の織成地又は編成地（以下、両者を総称して「織成地等」という。）は、織成地等に対するパーマネントウェーブ用剤の透過性及び織成地等を透過したパーマネントウェーブ用剤の毛髪束への馴染みの観点から、目開きを１２０〜２６０μｍ、好ましくは１５０〜２４０μｍ、更に好ましくは１８０〜２２０μｍに設定する。目開きが１２０μｍ以上であれば、パーマネントウェーブ用剤が織成地等を通過する際に目詰まりしにくくなるため、毛髪保持具の内部へ入るパーマネントウェーブ用剤の量が十分になる。また、２６０μｍ以下であれば、パーマネントウェーブ用剤が織成地等を通過する際に十分なシア（せん断力）が発生しやすくなるため、毛髪保持具の内部へ入るパーマネントウェーブ用剤の毛髪束への馴染みが十分になる。一方、織成地等を構成する繊維の線径に関しては、これを１０〜３５０μｍ、好ましくは２０〜３００μｍ、更に好ましくは３０〜２５０μｍに設定する。線径を１０μｍ以上にすることで、パーマネントウェーブ用剤が織成地等を通過する際の外力や巻き上げ用糸を引っ張った際の力によって織成地が変形又は破損しにくくなるため、パーマネントウェーブ用剤が毛髪保持具の内部へ入りやすくなる。また、３５０μｍ以下であれば、パーマネントウェーブ用剤が織成地等を通過する際に十分なシア（せん断力）が発生しやすくなるため、毛髪保持具の内部へ入るパーマネントウェーブ用剤の毛髪束への馴染みが十分になる。
【００２０】
織成地等の目開き及び線径は、当業者が通常行う方法に従い、ＪＩＳ  Ｚ８８０１−１の「試験用ふるい−第１部：金属製網ふるい」に記載される「ふるいの目開き」及び「金属線の直径」の検査方法において、金属線を織成地等に用いる繊維に読み替えて測定することにより得られる値である。
【００２１】
織成地等として織成地を用いる場合、該織成地の織型に特に制限はなく、例えば平織、綾織、平畳織、綾畳織等を用いることができる。織成地に対するパーマネントウェーブ用剤の透過性が特に良好である観点から、平織及び綾織を用いることが好ましい。これらの要件を満たし、筒状体２に好適な織成地の例としては、目開きが１８０μｍであり、線径が５０μｍのポリエステル製メッシュシートであるティーロード４８１７（山中産業社製）、目開きが１９０μｍであり、線径が１３０μｍであるナイロン製メッシュシートＮＢ８０（テックジャム社製）、目開きが２５８μｍであり、線径が１６５μｍであるナイロン製メッシュシートＮＢ６０（テックジャム社製）等が挙げられる。
【００２２】
織成地等を構成する繊維形成材料は、使用目的上の理由から、通常パーマネントウェーブ用剤に含まれる成分に対して化学的に安定なものを用いることが好ましい。また美しいウェーブ形状を保持する観点から、弾性変形が可能なものを用いることが好ましい。そのような繊維形成材料の例としては、ポリアミド、ポリエステル、ポリエチレン、ポリエチレンテレフタレート、ポリプロピレン、ポリスチレン、ポリアクリロニトリル等が挙げられる。
【００２３】
先に述べたとおり、筒状体２は、シート２３Ａ及びシート２３Ｂから構成されているところ、これら両者が上述の目開き及び線径を有していてもよく、あるいはいずれか一方が上述の目開き及び線径を有していてもよい。更に、シート２３Ａ及びシート２３Ｂは、その全域が上述の目開き及び線径を有していてもよく、あるいはその一部が上述の目開き及び線径を有していてもよいが、本発明の課題である、剤の垂れ落ちなく、しかも筒状の毛髪保持具内で巻き上げ保持された状態の毛髪束に対してパーマネントウェーブ用剤を馴染ませるとの観点からは、筒状体２を構成するシート２３Ａ及びシート２３Ｂの両者が、半分以上、特に７５％以上、とりわけその全域で上述の目開き及び線径を有していることがより好ましい。
【００２４】
〔パーマネントウェーブ用剤〕
本発明で用いるパーマネントウェーブ用剤は、上述した毛髪保持具１との関係で、特定の粘度を有する乳化状のものである点に特徴を有する。具体的には、パーマネントウェーブ用剤を毛髪束に馴染ませる作業の際の剤の飛び散り抑制や、剤のたれ落ちの抑制の観点、及び毛髪保持具内部に保持された毛髪束へのパーマネントウェーブ用剤の良好な馴染み性の観点から、パーマネントウェーブ用剤は、単一円筒形回転粘度計で与えられる粘度が、測定条件が温度３０℃、回転速度１０ｒｐｍで２５，０００〜４５，０００ｍＰａ・ｓ、好ましくは３０，０００〜４０，０００ｍＰａ・ｓ、一層好ましくは３２，０００〜３８，０００Ｐａ・ｓである（この測定条件を「測定条件１」という。）。また、パーマネントウェーブ用剤は、測定条件が温度３０℃、回転速度５ｒｐｍで１５０，０００〜２５０，０００ｍＰａ・ｓ、好ましくは１５５，０００〜２４５，０００ｍＰａ・ｓ、一層好ましくは１６０，０００〜２４０，０００ｍＰａ・ｓである（この測定条件を「測定条件２」という。）。
【００２５】
測定条件１において、パーマネントウェーブ用剤の粘度が２５，０００ｍＰａ・ｓ以上であると、毛髪保持具の外側に塗布したパーマネントウェーブ用剤が織成地を通過し、毛髪保持具の内部に保持されている毛髪束に馴染んだ後、再び、毛髪保持具の外部へ染み出すことなく、剤の垂れ落ちも抑制できる。また、４５，０００ｍＰａ・ｓ以下であると、毛髪保持具の内部に保持された毛髪束へのパーマネントウェーブ用剤の馴染みが十分になる。一方、測定条件２において、パーマネントウェーブ用剤の粘度が１５０，０００ｍＰａ・ｓ以上であると、毛髪保持具の外側に塗布したパーマネントウェーブ用剤を毛髪保持具内部に保持された毛髪束に馴染ませるために行う、指で撫でる・擦る等の作業の際にパーマネントウェーブ用剤の垂れ落ちが抑制できる。また、２５０，０００ｍＰａ・ｓ以下であると、パーマネントウェーブ用剤が織成地を通過する際に目詰まりしにくくなるため、毛髪保持具の内部へ入るパーマネントウェーブ用剤の量が十分になる。
【００２６】
本発明において、パーマネントウェーブ用剤の粘度を測定するときの測定条件１は、織成地等の表面でパーマネントウェーブ用剤を、指で撫でる・擦る等の外力によってせん断力を負荷したときの状態での粘度に対応する。一方、測定条件２は、静置状態に近い状態でのパーマネントウェーブ用剤の粘度に対応する。
【００２７】
パーマネントウェーブ用剤の粘度の測定は、上述のとおり単一円筒形回転粘度計によって測定される。具体的には、パーマネントウェーブ用剤を、７０ｍｌのガラスビンに６５ｇ充填し封入した状態で、３０℃の温浴中で１時間保持したのち、東機産業社製ＴＶＢ−１０Ｒ粘度計を用いて、ローターＮｏ．Ｔ−Ｃ、回転速度１０ｒｐｍ又は５ｒｐｍ、測定時間１分の条件で測定する。
【００２８】
パーマネントウェーブ用剤は、当該技術分野において知られている種々の成分を組み合わせて、前記の粘度を満たすように組成物を調製することで得られる。特にパーマネントウェーブ用剤は、（２−１）炭素数１６〜２２の脂肪族アルコール及び（２−２）イオン性界面活性剤を含むことが、パーマネントウェーブ用剤が織成地を通過する際に発生するシア（せん断力）による粘度低下、及び、塗布後の粘度復帰が速やかに起こる点から好ましい。
【００２９】
前記の（２−１）炭素数１６〜２２の脂肪族アルコールとしては、セタノール、ステアリルアルコール、アラキルアルコール、ベヘニルアルコール等が挙げられる。これらの脂肪族アルコールは、一種又は二種以上を併用することができる。脂肪族アルコールの炭素数が前記の範囲内であることによって、上述した粘度範囲を長期間にわたって保持することが可能になる。パーマネントウェーブ用剤中における（２−１）の含有量は、パーマネントウェーブ用剤を塗布する際の剤の垂れ落ちの抑制、筒状体２を構成する織成地等に対するパーマネントウェーブ用剤の透過性、及び毛髪保持具内の毛髪束へのパーマネントウェーブ用剤の馴染み性の観点から、０．０３〜６質量％が好ましく、０．１２〜４．８質量％が更に好ましく、０．２４〜３．６質量％が一層好ましい。
【００３０】
前記の（２−２）イオン性界面活性剤としては、カチオン性界面活性剤、両性界面活性剤、アニオン性界面活性剤のいずれをも使用することもできる。複合体を形成しない配合条件又は組み合わせの場合には、これらを２種以上併用しても良い。パーマネントウェーブ用剤中における（２−２）イオン性界面活性剤の含有量は、毛髪保持具内に挿入・保持されている毛髪束へのパーマネントウェーブ用剤の馴染み性の観点から、０．１〜１５質量％が好ましく、０．５〜１０質量％が更に好ましく、１〜９質量％が一層好ましい。
【００３１】
前記の（２−１）及び（２−２）を含むパーマネントウェーブ用剤においては、（２−１）と（２−２）との質量比（２−１）／（２−２）は、好ましくは２．５〜４．２、より好ましくは２．６〜４．１、一層好ましくは２．７〜４．０である。両者の質量比をこの範囲内に設定することで、毛髪保持具１の外側では、剤が垂れ落ちない高い粘度の状態を保ち、織成地等を透過した後では、一時的に毛髪束へ浸透・拡散できる低い粘度になり、剤が毛髪束に行きわたった後は、再び高い粘度の状態に戻るといった粘度挙動が容易に発現する。その結果、パーマネントウェーブ用剤を塗布する際の剤の垂れ落ちの抑制、筒状体２を構成する織成地等に対するパーマネントウェーブ用剤の透過性、毛髪保持具内の毛髪束へのパーマネントウェーブ用剤の馴染み性の条件を満足させることができる。
【００３２】
前記のイオン性界面活性剤のうち、カチオン性界面活性剤としては、モノ長鎖アルキル４級アンモニウム塩又はジ長鎖アルキル４級アンモニウム塩が好ましい。具体的には、セトリモニウムクロリド、ステアルトリモニウムクロリド、ベヘントリモニウムクロリド、ステアラルコニウムクロリド、ベンザルコニウムクロリド、ジアルキル（Ｃ１２−１８）ジモニウムクロリド等が挙げられる。両性界面活性剤としてはイミダゾリン、カルボベタイン、アミドベタイン、スルホベタイン、ヒドロキシスルホベタイン、アミドスルホベタイン等が挙げられる。アニオン界面活性剤としては、アルキルベンゼンスルホン酸塩、アルキル又はアルケニルエーテル硫酸塩、アルキル又はアルケニル硫酸塩、オレフィンスルホン酸塩、アルカンスルホン酸塩、飽和又は不飽和脂肪酸塩、アルキル又はアルケニルエーテルカルボン酸塩、α−スルホ脂肪酸塩、Ｎ−アシルアミノ酸、リン酸モノ又はジエステル、スルホコハク酸エステル等が挙げられる。アルキルエーテル硫酸塩としては、ポリオキシエチレンアルキルエーテル硫酸塩が挙げられる。これらアニオン界面活性剤のアニオン性基の対イオンとしては、ナトリウムイオン、カリウムイオン等のアルカリ金属イオン；カルシウムイオン、マグネシウムイオン等のアルカリ土類金属イオン；アンモニウムイオン；炭素数２又は３のアルカノール基を１〜３個有するアルカノールアミン（例えばモノエタノールアミン、ジエタノールアミン、トリエタノールアミン、トリイソプロパノールアミン等）が挙げられる。
【００３３】
上述した各種のイオン性界面活性剤のうち、毛髪保持具内に挿入・保持されている毛髪束へのパーマネントウェーブ用剤の馴染み性の観点から、カチオン性界面活性剤を用いることが好ましい。イオン性界面活性剤としてカチオン性界面活性剤を用いる場合、該カチオン性界面活性剤として、下記一般式（１）で表されるものを用いることが、パーマネントウェーブ用剤が織成地等を通過する際に発生するシア（せん断力）による粘度低下、及び、塗布後の粘度復帰が速やかに起こる点から好ましい。
【００３４】
【化１】
2011156285.tif 000003
【００３５】
一般式（１）で表されるカチオン性界面活性剤の好適な具体例としては、パーマネントウェーブ用剤が織成地等を通過する際に発生するシア（せん断力）による粘度低下、及び、塗布後の粘度復帰が速やかに起こる点から、アルキルトリメチルアンモニウム塩、ジアルキルジメチルアンモニウム塩、脂肪酸アミドプロピルエチルジモニウム塩、アルコキシアルキルトリモニウム塩などが好適なものとして挙げられる。アルキルトリメチルアンモニウム塩としては、ラウリルトリモニウムクロリド、ミリスチルトリモニウムクロリド、パルミチルトリモニウムクロリド、ステアリルトリモニウムクロリド、ベヘントリモニウムクロリドが、ジアルキルジメチルアンモニウム塩としては、ジココジモニウムクロリド、ジアルキル（Ｃ１２−１８）アルキルジモニウムクロリド、ジセチルジモニウムクロリド、ジステアリルジモニウムクロリドが、脂肪酸アミドプロピルエチルジモニウム塩としては、クオタニウムー３３、イソアルキル（Ｃ１０−４０）アミノプロピルエチルジモニウムエトサルフェートが、アルキルベンザルコニウム塩としては、セタルコニウムクロリド、ステアラルコニウムクロリドが、アルコキシアルキルトリモニウム塩としては、ステアロキシプロピルトリモニウムクロリド、ヒドロキシプロピルトリモニウムクロリドハニーがより好ましい。
【００３６】
また、一般式（１）で表されるカチオン性界面活性剤以外のカチオン性界面活性剤として、アルキルアルキレングリコールアンモニウム塩、ジアルキルヒドロキシアルキルアンモニウム塩、アルギニン誘導体、グアニジン誘導体、ピリジン誘導体などを用いることもできる。アルキルアルキレングリコールアンモニウム塩としては、ＰＥＧ−２オレアンモニウム、ＰＥＧ−５ステアリルアンモニウムクロリド、ＰＥＧ−５ステアリルメチルアンモニウムクロリド、ＰＰＧ−２５ジエチルモニウムクロリド、ＰＰＧ−４２ジエチルモニウムクロリドが、ジアルキルヒドロキシアルキルアンモニウム塩としては、ジココイルエチルヒドロキシエチルモニウムメトサルフェート、ジパルミトイルエチルヒドロキシエチルモニウムメトサルフェート、ジステアロイルエチルヒドロキシエチルモニウムメトサルフェートが、アルギニン誘導体として、アルキル（Ｃ１２、Ｃ１４）オキシヒドロキシプロピルアルギニンＨＣｌが、グアニジン誘導体として、酢酸（ミリスタミド/パルタミド）ブチルグアニジンが、ピリジン誘導体として、ラウリルピリジニウムクロリド、セチルピリジニウムクロリド等が挙げられる。
【００３７】
パーマネントウェーブ用剤は、上述した（２−１）及び（２−２）の成分に加え、（２−３）油剤を含むことも好ましい。この油剤は、エステル油、炭化水素油、高級脂肪酸、シリコーン油から選ばれる少なくとも１種からなる。パーマネントウェーブ用剤がこれらの油剤を含むことによって、パーマネントウェーブ用剤が織成地等を通過する際のシアにより粘度低下した後の粘度復帰がより速やかに起こるという有利な効果が奏される。パーマネントウェーブ用剤中における（２−３）油剤の含有量は、毛髪保持具内に挿入・保持されている毛髪束へのパーマネントウェーブ用剤の馴染み性の観点から、０．０１〜１０質量％が好ましく、０．０５〜５質量％が更に好ましく、０．１〜３質量％が一層好ましい。
【００３８】
油剤としては、モノグリセロール、ジグリセロール、トリグリセロール等の炭素数１２〜３０の脂肪酸とグリセリンとの縮合物；乳酸オクチルドデシル、パルミチン酸イソプロピル、ミリスチン酸イソプロピル、イソステアリン酸イソプロピル、イソステアリン酸コレステリル、ヒドロキシステアリン酸コレステリル等の炭素数が２〜３０の脂肪酸と炭素数が２〜３０の１価アルコールの縮合物；（ヒドロキシステアリン酸／ステアリン酸／ロジン酸）ジペンタエリスリチル等の環状又は鎖状の糖類と炭素数が１２〜３０の脂肪酸の縮合物等のエステル油、流動パラフィン、流動イソパラフィン、固体パラフィン、スクワラン、スクワレン、ワセリン、ミネラルオイル、イソデカン、イソヘキサデカン等の炭化水素油；ラウリン酸、ミリスチン酸、１８−メチルエイコサン酸、パルミチン酸、ステアリン酸、イソステアリン酸、ベヘン酸、セロチン酸、オレイン酸、リノール酸、リノレン酸、リシノレン酸等の炭素数１２〜３０の飽和又は不飽和の脂肪酸、カルナウバロウ、キャンデリラロウ、ミツロウ、ゲイロウ、オレンジ果皮ロウ等のロウ；アボガド油、オリーブ油、シア油、ダイズ油、パーム油、ヒマシ油、ヒマワリ油、ホホバ油、ミンク油、ヤシ油等の油脂又は水添化油脂；ジメチコン／ポリオキシエチレンコポリマー、ステアリルメチコン、アモジメチコン、フェニルジメチコン、ジフェニルジメチコン、ジメチコン等のシリコーン油が挙げられる。
【００３９】
パーマネントウェーブ用剤は、これをパーマネントウェーブ第１剤として用いる場合には、ケラチン還元性物質を、またパーマネントウェーブ第２剤として用いる場合には、ケラチン酸化性物質を配合する。ケラチン還元性物質としては、例えば、チオグリコール酸又はその塩類、システイン又はその塩類、アセチルシステイン、又は亜硫酸ソーダ等が挙げられ、化粧品及び医薬部外品等に通常用いられる還元剤であれば、特に限定されることなく使用できる。ケラチン酸化性物質としては、例えば、過酸化水素、臭素酸ナトリウム、臭素酸カリウム等の臭素酸塩などが挙げられ、化粧品及び医薬部外品等に通常用いられる還元剤であれば、特に限定されることなく使用できる。
【００４０】
また、パーマネントウェーブ用剤は、上述した各種の成分以外に、通常のパーマネントウェーブ用剤に用いられている成分や化粧品分野で用いられる成分を、目的に応じて加えることができる。このような任意成分としては、可溶化剤、浸透促進剤、希釈剤、有機溶剤、ｐＨ調整剤、アルカリ剤、毛髪補修剤、キレート剤、防腐剤、酸化防止剤、保湿剤、紫外線吸収剤、香料などが挙げられる。
【００４１】
本発明のパーマネントウェーブキットを用いたパーマネントウェーブ処理方法には、パーマネントウェーブ第１剤のみを使用する一浴式と、パーマネントウェーブ第１剤及びパーマネントウェーブ第２剤を使用する二浴式がある。それぞれについて、本発明のパーマネントウェーブキットを用いたパーマネントウェーブ処理方法について具体的に説明する。
【００４２】
〔一浴式パーマネントウェーブ処理方法〕
１）頭髪をブロッキング(区分け)して取り分けたそれぞれの毛髪束を、毛髪保持具１内に挿入する。具体的には毛髪挿入具を用いて、毛髪束を一端の開口部２１から筒状体２の内部へ挿入することが好ましい。毛髪挿入具は、一方の端部に毛髪束を係止するための係止部を有し、他方の端部に把持部を有しており、毛髪保持具１内に、筒状体２の一端の開口部２１から前記係止部が突出し、他端の開口部２２から前記把持部が突出した状態とされて使用し得るものが好ましい。このような毛髪挿入具としては、例えば、図３に示すようなもの等を用いることができる。また、特許文献１に記載のもの等を用いることもできる。図３に示す各毛髪挿入具５Ａ〜５Ｃにおいては、符号５１が係止部を示し、符号５２が把持部を示している。毛髪挿入具５Ａにおいては、可撓性を有する扁平帯状の合成樹脂製本体の端部が２本に分割されており、その分割部分同士がループ状に連結されて係止部５１を形成している。毛髪挿入具５Ｂは、可撓性を有する扁平帯状の合成樹脂製本体の端部に矩形状の貫通孔５１ａが設けられ、該貫通孔５１ａに一端を有するスリット５１ｂが設けられている。貫通孔５１ａ及びスリット５１ｂが係止部５１を構成している。毛髪挿入具５Ｃは、紐ないし糸状体をループ状にした係止部５１及び紐ないし糸状体からなる把持部５２を有している。毛髪挿入具は、上記のものに制限されず、筒状体２内に毛髪束を挿通し得る各種公知のもの等を特に制限なく用いることができる。
２）図２（ａ）及び図２（ｂ）に示す手順に従い、毛髪束を保持した状態の毛髪保持具１を巻き上げて、毛髪束の巻き上げ状態を保持する。
３）毛髪保持具内の毛髪束を軽く湿らせるか又は乾燥した状態で、該パーマネントウェーブ第１剤、すなわち上述のパーマネントウェーブ用剤（ケラチン還元性物質を含む）を塗布する。
４）該毛髪保持具表面の該パーマネントウェーブ第１剤を内部へ擦り込む。
５）所定の時間、毛髪束を該パーマネントウェーブ第１剤で処理する。
６）該毛髪保持具表面と内部に付着した該パーマネントウェーブ第１剤を水ですすぎ流す。
７）すすぎ水が滴らない程度まで水気を除くか、そのままの状態で所定の時間静置する。
８）毛髪束から該毛髪保持具１を外したのちに髪を水ですすぐか、又は該毛髪保持具１を装着した状態ですすいだのちに毛髪保持具１を外す。
【００４３】
〔二浴式パーマネントウェーブ処理方法１〕
１）ないし６）は、上述の手順と同じである。
７）すすぎ水が滴らない程度まで水気を除き、パーマネントウェーブ第２剤、すなわち上述のパーマネントウェーブ用剤（ケラチン酸化性物質を含む）を塗布する。
８）毛髪保持具表面のパーマネントウェーブ第２剤を内部へ擦り込む。
９）所定の時間、毛髪束をパーマネントウェーブ第２剤で処理する。
１０）毛髪束から毛髪保持具１を外したのちに髪に付着したパーマネントウェーブ第２剤を水ですすぎ流すか、又は毛髪保持具１を装着した状態でパーマネントウェーブ第２剤をすすぎ流したのちに毛髪保持具１を外す。
【００４４】
〔二浴式パーマネントウェーブ処理方法２〕
１）ないし６）は、上述の手順と同じである。
７）すすぎ水が滴らない程度まで水気を除き、通常用いられるパーマネントウェーブ第２剤（ケラチン酸化性物質を含む）を塗布する。
７）所定の時間、毛髪束をパーマネントウェーブ第２剤で処理する。
８）毛髪束から毛髪保持具１を外したのちに髪に付着したパーマネントウェーブ第２剤を水ですすぎ流すか、又は毛髪保持具１を装着した状態でパーマネントウェーブ第２剤をすすぎ流したのちに毛髪保持具１を外す。
【００４５】
〔二浴式パーマネントウェーブ処理方法３〕
１）及び２）は、上述の手順と同じである。
３）通常用いられるパーマネントウェーブ第１剤（ケラチン還元性物質を含む）を塗布する。
４）所定の時間、毛髪束をパーマネントウェーブ第１剤で処理する。
５）毛髪保持具表面・内部のパーマネントウェーブ第１剤を水ですすぎ流す。
６）すすぎ水が滴らない程度まで水気を除き、パーマネントウェーブ第２剤、すなわち上述のパーマネントウェーブ用剤（ケラチン酸化性物質を含む）を塗布する。
７）毛髪保持具表面のパーマネントウェーブ第２剤を内部へ擦り込む。
８）所定の時間、毛髪束をパーマネントウェーブ第２剤で処理する。
９）毛髪束から毛髪保持具１を外したのちに髪に付着したパーマネントウェーブ第２剤を水ですすぎ流すか、又は毛髪保持具１を装着した状態でパーマネントウェーブ第２剤をすすぎ流したのちに毛髪保持具１を外す。
【００４６】
以上、本発明をその好ましい実施形態に基づき説明したが、本発明は前記の実施形態に制限されない。例えば前記の実施形態においては、毛髪保持具１における巻き上げ手段として巻き上げ用糸７を備えたものを用いたが、これに代えて他の巻き上げ手段を採用してもよい。
【実施例】
【００４７】
以下、実施例により本発明を更に詳細に説明する。しかしながら本発明の範囲は、かかる実施例に制限されない。特に断らない限り、「％」及び「部」はそれぞれ「質量％」及び「質量部」を意味する。
【００４８】
〔実施例１ないし６並びに比較例１ないし１２〕
織成地等として、以下の表１に記載のメッシュシートを用いた。また、パーマネントウェーブ用剤として、以下の表２に記載のパーマネントウェーブ第２剤を用いた。これらを種々組み合わせ使用した実施例と比較例について、パーマネントウェーブ用剤がメッシュシートを透過して反対側の毛髪束まで到達したか（剤の透過性の評価）、及びメッシュシートを透過した後にパーマネントウェーブ用剤が毛髪束全体に拡散し馴染んだか（剤の馴染み性の評価）を、下記の評価手順と評価基準に従って行った。これらの結果を表３及び表４に示す。
【００４９】
〔評価手順〕
１．日本人女性の毛髪で、長さ２５ｃｍ、質量４．５ｇ、厚み約０．２ｃｍ、幅２．５ｃｍの板状毛髪束トレスを３枚作製する。
２．幅３ｃｍ、深さ０．５ｃｍの溝に手順１で作成した板状トレスを順に３枚重ねて置き、更にその上に、表３及び表４の組み合わせに従って、表１に記載のメッシュシート１枚を重ねて置く。評価に使用するメッシュシートは、２．０×５．０ｃｍの長方形の窓を開けた樹脂板に貼り付け、窓から露出したメッシュシート部分を使い評価を行う。
３．表３及び表４の組み合わせに従って、メッシュシートの表面へ表２に記載のパーマネントウェーブ用剤を３ｇ付着させる。
４．パーマネントウェーブ用剤がメッシュシートを透過して反対側の毛髪束まで到達し馴染むようにパーマネントウェーブ用剤を指で擦り込む作業を２０秒間行う。
５．手順４の作業の終了１分後に、メッシュシートのみを剥がし、以下の評価基準に従って、メッシュシートに対するパーマネントウェーブ用剤の透過性と、メッシュシートを通過したパーマネントウェーブ用剤の毛髪束への馴染み性の評価を行った。更にそれらの結果から、総合判定を以下の基準に従い行った。
【００５０】
〔メッシュシートに対するパーマネントウェーブ用剤の透過性の評価〕
最も上側のトレスの表面へのパーマネントウェーブ用剤の付着状態を下記基準に基づき評価し、パーマネントウェーブ用剤のメッシュシート透過性をスコア１〜２で判定した。
［判定基準］
１：パーマネントウェーブ用剤の付着ない、又は局所的に僅かに付着
２：パーマネントウェーブ用剤が十分に広がって付着
【００５１】
〔メッシュシート通過したパーマネントウェーブ用剤の毛髪束への馴染み性の評価〕
上側からトレスを順に丁寧に剥がし、最も下側のトレスへの剤の付着状態を下記の付着状態の判定基準に基づき評価し、パーマネントウェーブ用剤の毛髪への馴染み性をスコア１〜２で判定した。
［判定基準］
１：パーマネントウェーブ用剤の付着ない、又は局所的に僅かに付着
２：パーマネントウェーブ用剤が十分に広がって付着
【００５２】
〔総合判定〕
上述の評価方法及び基準に従って、メッシュシートに対するパーマネントウェーブ用剤の透過性とメッシュシートを通過したパーマネントウェーブ用剤の毛髪束への馴染み性の評価を行い、両評価結果がともにスコア２の場合に、総合判定を合格、それ以外を不合格とした。
【００５３】
【表１】
2011156285.tif 000004
【００５４】
【表２】
2011156285.tif 000005
【００５５】
【表３】
2011156285.tif 000006
【００５６】
【表４】
2011156285.tif 000007
【００５７】
〔実施例７ないし９並びに比較例１３及び１４〕
織成地等として、表１に記載のメッシュシート「ティーロード４８１７」を用い、図１に従って毛髪保持具を作製した。この毛髪保持具の詳細は以下に述べるとおりである。また、パーマネントウェーブ用剤として、表５に記載の粘度と含有質量比（２−１）／（２−２）の異なるパーマネントウェーブ第２剤を用いた。これらを組み合わせ使用した実施例と比較例について、パーマネントウェーブ用剤がメッシュシートを透過して反対側の毛髪束まで到達したか（剤の透過性の評価）、メッシュシートを透過した後にパーマネントウェーブ用剤が毛髪束全体に拡散し馴染んだか（剤の馴染み性の評価）、及び塗布中のパーマネントウェーブ用剤の垂れ落ちの有無（垂れ落ち性の評価）の評価を、下記の評価手順と評価基準に従って行った。更にそれらの結果から、総合判定を以下の基準に従い行った。結果を表６に示す。
【００５８】
〔評価手順〕
１．図１に従って作製した毛髪保持具を使いビューラックス製の植え込みトレス１３．５ｇ、長さ２５ｃｍを巻き上げる。
２．毛髪保持具の表面全体に、均一になるように表５に記載のパーマネントウェーブ用剤を６．８ｇ塗布し、この作業中の剤の垂れ落ちの有無を確認する。
３．塗布後、パーマネントウェーブ用剤がメッシュシートを透過して反対側の毛髪束まで到達し馴染むようにパーマネントウェーブ用剤を指で擦り込む作業を６０秒間行い、その後４分間静置する。
４．静置後に毛髪保持具を外し、露出した毛髪束の表面と内側の剤の馴染み状態を確認する。
【００５９】
〔パーマネントウェーブ用剤の垂れ落ちの評価〕
毛髪保持具の表面全体に、均一になるように表５に記載のパーマネントウェーブ用剤を塗布する際の剤の垂れ落ちの有無を下記の評価基準に従い行った。
１．塗布する際に、剤の垂れ落ちが僅かにあった、又は、垂れ落ちがあった。
２．塗布する際に、剤の垂れ落ちがなかった。
【００６０】
〔毛髪束への剤の馴染みの評価〕
静置後に毛髪保持具を外し、露出した毛髪束の表面と内側の剤の馴染み状態を下記の評価基準に従い、行った。
１．毛髪束の表面のみに剤が付着している、又は、内部の一部に剤が付着している。
２．毛髪束の表面及び内部に剤が付着している。
【００６１】
〔総合判定〕
上述の評価の結果、毛髪束への剤の馴染みの評価及び垂れ落ちの評価のスコアがともに２の場合を合格とし、それ以外の場合を不合格とした。
【００６２】
〔毛髪保持具〕
図１に従い作製した毛髪保持具１は、メッシュシートで構成された筒状体の内部へ、図３に示した毛髪挿入具を使い毛髪束を挿入し、巻き上げ用糸７を引っ張ることで、毛髪束をウェーブ形状に変形させるために用いる。各部位の寸法は図４に示すとおりである。各部位には次の材料を用いた。筒状体２はティーロード４８１７（山中産業社製）として入手できる熱融着性ポリエステル繊維のメッシュ素材（オープニング１８０μｍ、オープニングエリア６８％、繊径５０μｍ）、巻き上げ用糸７は材質がポリエチレンテレフタレート製で線径１．０ｍｍ、巻き上げ用糸７の両端の係止片７３，７４及び毛髪束挿入時に開口部２１を広げるための指掛け部４は材質がＰＥＴ／ＰＰ芯鞘構造のスパンボンド不織布エルベス（坪量７０ｇ／ｍ2）を用いた。
【００６３】
【表５】
2011156285.tif 000008
【００６４】
【表６】
2011156285.tif 000009
【符号の説明】
【００６５】
１    毛髪保持具
２    筒状体
２１  一端部の開口部
２２  他端部の開口部
２３，２３Ａ，２３Ｂ  シート
２４Ａ，２４Ｂ  側端部
２５  一端部
２６  他端部
３    ストッパー部
３１  シート片
３２  貫通孔部
３３  切れ目
４    指掛け部
５Ａ〜５Ｃ  毛髪束挿入具
６Ａ，６Ｂ    挿通孔部
７    巻き上げ用糸
７１  一端
７２  他端
７３，７４  係止片
【図１】
2011156285.tif 000011
【図２】
2011156285.tif 000012
【図３】
2011156285.tif 000013
【図４】
2011156285.tif 000014